(57)【要約】【課題】排水に伴って適切に泡を通過させることができる排水口カバーを提供する。【解決手段】排水口第二カバー５０は、下段部５５とカバー下流側範囲部５２を構成する上段部５４との段差によって、排水溝の下流側と対面する口部５７が形成された本体部材５３と、この本体部材５３の周縁に嵌合する枠部材６０と、下段部５５の上面側において枠部材６０に固定されると共にカバー上流側範囲部５１を構成するタイル部材６９とから構成されている。【選択図】図２５
2019031797.tif 000002
【特許請求の範囲】
【請求項１】
洗い場および排水溝の下流側に連接された排水口部に被せられる排水口カバーにおいて、
前記洗い場と同一のタイルで構成されたカバー上流側範囲部と、
前記排水溝と同一の金属で構成されたカバー下流側範囲部と、から構成された、
ことを特徴とする排水口カバー。
【請求項２】
前記排水溝の下流側と対面する口部が隆起した、
ことを特徴とする請求項１に記載された排水口カバー。
【請求項３】
前記カバー上流側範囲部が、前記洗い場と同一面上において前記排水口部と対面する、
ことを特徴とする請求項１または請求項２に記載された排水口カバー。
【請求項４】
前記カバー下流側範囲部が、前記排水溝の延長線上において前記排水口部と対面する、
ことを特徴とする請求項１から請求項３のいずれか１項に記載された排水口カバー。
【請求項５】
前記洗い場との接触部分に枠部材が備えられた、
ことを特徴とする請求項１から請求項４のいずれか１項に記載された排水口カバー。
【請求項６】
下面側が前記排水口部と対面する本体部材と、
前記本体部材の周縁に嵌合した枠部材と、
前記本体部材の上面側において前記枠部材に固定されるタイル部材と、から構成された、
ことを特徴とする請求項１から請求項４のいずれか１項に記載された排水口カバー。
【請求項７】
前記タイル部材が、前記カバー上流側範囲部を構成し、
前記本体部材が、
前記タイル部材の下面側に配置された下段部と、この下段部と厚み方向において高く段違いに連接されたことで前記口部が形成された前記カバー下流側範囲部と、から構成され、
前記枠部材が、厚み方向において上端よりも低い位置に、前記下段部と嵌合する被嵌合部を有し、
前記タイル部材が、前記下段部に載置されて前記被嵌合部によって位置決めされた状態で前記枠部材の内側に固定された、
ことを特徴とする請求項２に従属する請求項６に記載された排水口カバー。
【請求項８】
前記排水口部との接触部分に緩衝部材が備えられた、
ことを特徴とする請求項１から請求項７のいずれか１項に記載された排水口カバー。
【発明の詳細な説明】
【技術分野】
【０００１】
本発明は、排水口に被せられる排水口カバーに関するものである。
【背景技術】
【０００２】
従来、浴室は、浴槽とは別に洗い場があり、この洗い場の排水口に排水口カバーが被せられている。例えば、下記特許文献１に記載された浴室ユニット洗い場フロアによれば、洗い場フロアの下流端に排水溝および排水口が連接され、排水口に蓋が被せられている。この蓋は、樹脂製であることが多い。
【先行技術文献】
【特許文献】
【０００３】
【特許文献１】特開２００１−３４２６号公報
【発明の概要】
【発明が解決しようとする課題】
【０００４】
しかし、上記したとおり、従来の蓋は、樹脂製であり、カビや水垢が付着しやすいため、清掃が困難である。また、意匠が平凡である。
【０００５】
本発明は、この様な実情に鑑みて提案されたものである。すなわち、容易に清掃をすることができ、さらに、優れた意匠を実現することができる排水口カバーの提供を目的とする。
【課題を解決するための手段】
【０００６】
上記目的を達成するために、本発明に係る排水口カバーは、洗い場および排水溝の下流側に連接された排水口部に被せられる排水口カバーにおいて、前記洗い場と同一のタイルで構成されたカバー上流側範囲部と、前記排水溝と同一の金属で構成されたカバー下流側範囲部と、から構成された、ことを特徴とする。
【０００７】
本発明に係る排水口カバーは、前記排水溝の下流側と対面する口部が隆起した、ことを特徴とする。
【０００８】
本発明に係る排水口カバーは、前記カバー上流側範囲部が、前記洗い場と同一面上において前記排水口部と対面する、ことを特徴とする。
【０００９】
本発明に係る排水口カバーは、前記カバー下流側範囲部が、前記排水溝の延長線上において前記排水口部と対面する、ことを特徴とする。
【００１０】
本発明に係る排水口カバーは、前記洗い場との接触部分に枠部材が備えられた、ことを特徴とする。
【００１１】
本発明に係る排水口カバーは、下面側が前記排水口部と対面する本体部材と、前記本体部材の周縁に嵌合した枠部材と、前記本体部材の上面側において前記枠部材に固定されるタイル部材と、から構成された、ことを特徴とする。
【００１２】
本発明に係る排水口カバーは、前記タイル部材が、前記カバー上流側範囲部を構成し、前記本体部材が、前記タイル部材の下面側に配置された下段部と、この下段部と厚み方向において高く段違いに連接されたことで前記口部が形成された前記カバー下流側範囲部と、から構成され、前記枠部材が、厚み方向において上端よりも低い位置に、前記下段部と嵌合する被嵌合部を有し、前記タイル部材が、前記下段部に載置されて前記被嵌合部によって位置決めされた状態で前記枠部材の内側に固定された、ことを特徴とする。
【００１３】
本発明に係る排水口カバーは、前記排水口部との接触部分に緩衝部材が備えられた、ことを特徴とする。
【発明の効果】
【００１４】
本発明に係る排水口カバーは、洗い場と同一のタイルで構成されたカバー上流側範囲部と、排水溝と同一の金属で構成されたカバー下流側範囲部とから構成されている。したがって、樹脂などの素材と比較して容易に清掃をすることができる。また、洗い場および排水溝とそれぞれ馴染む素材で構成されているため、優れた意匠を実現することができる。
【００１５】
本発明に係る排水口カバーは、排水溝の下流側と対面する口部が隆起している。すなわち、口部は、隆起した分、排水溝との間隔が広く、また、口部を通過する流量が多い。したがって、排水に伴って適切に泡を通過させることができる。
【００１６】
本発明に係る排水口カバーは、カバー上流側範囲部が、洗い場と同一面上において排水口部と対面する構成である。すなわち、洗い場の一部にカバー上流側範囲部が形成され、このカバー上流側範囲部は洗い場と同じ素材である。したがって、利用者が、洗い場においてカバー上流側範囲部の上を歩いた場合であっても、滑りにくくすることができる。
【００１７】
本発明に係る排水口カバーは、カバー下流側範囲部が、排水溝の延長線上において排水口部と対面する構成である。この構成により、外観において、排水口カバーが排水溝と馴染む。したがって、排水口カバーと排水溝とで統一感を現すことができる。
【００１８】
本発明に係る排水口カバーは、洗い場との接触部分に枠部材が備えられている。この構成により、排水口カバーと洗い場との接触や擦れによる損傷や異音を防ぐことができる。
【００１９】
本発明に係る排水口カバーは、下面側が排水口部と対面する本体部材と、本体部材の周縁に嵌合した枠部材と、本体部材の上面側において枠部材に固定されるタイル部材とから構成されている。この構成により、洗い場に適した素材と排水溝に適した素材とで、素材が異なる部材を合体させて排水口カバーを構成することができる。
【００２０】
本発明に係る排水口カバーは、タイル部材が、カバー上流側範囲部を構成し、本体部材が、タイル部材の下面側に配置された下段部と、この下段部と厚み方向において高く段違いに連接されたことで口部が形成されたカバー下流側範囲部とから構成され、枠部材が、厚み方向において上端よりも低い位置に、下段部と嵌合する被嵌合部を有し、タイル部材が、下段部に載置されて被嵌合部によって位置決めされた状態で枠部材の内側に固定される。この構成により、本体部材の下段部の周縁に枠部材が取り付けられた状態で、タイル部材が下段部に載置されて枠部材に固定されたことで、下段部が枠部材とタイル部材とで挟まれて固定される。したがって、簡便に組み立てることができる。その際、下段部が枠部材の被嵌合部に嵌合されることで、本体部材が枠部材に仮固定され、また、タイル部材が被嵌合部で位置決めされる。したがって、組み立てる過程において、各部材同士がずれることがなく、簡便に組み立てることができる。
【００２１】
本発明に係る排水口カバーは、排水口部との接触部分に緩衝部材が備えられている。この構成により、排水口カバーと排水口部との接触や擦れによる損傷や異音を防ぐことができる。
【図面の簡単な説明】
【００２２】
【図１】本発明の実施形態に係る排水口カバーが備えられる洗い場構造体の外観が示された斜視図である。
【図２】本発明の実施形態に係る排水口カバーが取り付けられる排水構造の全体が示され、（ａ）は平面図、（ｂ）は左側面図、（ｃ）右側面図、（ｄ）は後面図、（ｅ）は前面図、（ｆ）は（ａ）におけるＡ１−Ａ１断面図、（ｇ）は（ｆ）におけるＣ１、Ｄ１部分拡大図である。
【図３】本発明の実施形態に係る排水口カバーが取り付けられる排水構造の要部が拡大されて示され、（ａ）は図２（ａ）におけるＢ１部分拡大図、（ｂ）は（ａ）におけるＥ１−Ｅ１断面図、（ｃ）は（ａ）におけるＦ１−Ｆ１断面図、（ｄ）は（ａ）におけるＧ１−Ｇ１断面拡大図、（ｅ）は（ａ）におけるＨ１−Ｈ１断面拡大図である。
【図４】本発明の実施形態に係る排水口カバーが取り付けられる他の排水構造の全体が示され、（ａ）は平面図、（ｂ）は左側面図、（ｃ）は後面図、（ｄ）は前面図、（ｅ）は（ａ）におけるＡ２−Ａ２断面図、（ｆ）は（ｅ）におけるＣ２、Ｄ２部分拡大図である。
【図５】本発明の実施形態に係る排水口カバーが取り付けられる他の排水構造の要部が拡大されて示され、（ａ）は図４（ａ）におけるＢ２部分拡大図、（ｂ）は（ａ）におけるＥ２−Ｅ２断面図、（ｃ）は（ａ）におけるＦ２−Ｆ２断面図、（ｄ）は（ａ）におけるＧ２−Ｇ２断面拡大図、（ｅ）は（ａ）におけるＨ２−Ｈ２断面拡大図である。
【図６】本発明の参考例に係る排水口カバーが排水構造の排水口部に被せられた状態が示され、（ａ）は平面図、（ｂ）はＪ１−Ｊ１概略断面図である。
【図７】本発明の参考例に係る排水口カバーの斜視図である。
【図８】本発明の参考例に係る排水口カバーの左側面図である。
【図９】本発明の参考例に係る排水口カバーの平面図である。
【図１０】本発明の参考例に係る排水口カバーの底面図である。
【図１１】本発明の参考例に係る排水口カバーの断面が示され、（ａ）は図９におけるＫ１−Ｋ１断面図、（ｂ）は（ａ）におけるＬ１部分拡大図、（ｃ）は（ａ）におけるＭ１部分拡大図である。
【図１２】本発明の参考例に係る排水口カバーの後面図であって、緩衝部材取付構造が拡大されて示されている。
【図１３】本発明の参考例に係る排水口カバーの前面図であって、緩衝部材取付構造が拡大されて示されている。
【図１４】本発明の参考例に係る排水口カバーの緩衝部材が示され、（ａ）は平面図、（ｂ）は左側面図、（ｃ）は後面図、（ｄ）は（ａ）におけるＮ１−Ｎ１断面図、（ｅ）は（ｂ）におけるＯ１−Ｏ１断面図である。
【図１５】本発明の参考例に係る排水口カバーの緩衝部材が示され、（ａ）は平面図、（ｂ）は前面図、（ｃ）は左側面図、（ｄ）は（ｃ）におけるＱ１−Ｑ１断面図、（ｅ）は（ａ）におけるＰ１−Ｐ１断面図である。
【図１６】本発明の参考例に係る排水口カバーに緩衝部材が取り付けられた状態の斜視図である。
【図１７】本発明の参考例に係る排水口カバーに緩衝部材が取り付けられた状態の左側面図である。
【図１８】本発明の参考例に係る排水口カバーに緩衝部材が取り付けられた状態の平面図である。
【図１９】本発明の参考例に係る排水口カバーに緩衝部材が取り付けられた状態の底面図である。
【図２０】本発明の参考例に係る排水口カバーに緩衝部材が取り付けられた状態の断面が示され、（ａ）は図１８におけるＫ２−Ｋ２断面図、（ｂ）は（ａ）におけるＬ２部分拡大図、（ｃ）は（ａ）におけるＭ２部分拡大図である。
【図２１】本発明の参考例に係る排水口カバーに緩衝部材が取り付けられた状態の後面図であって、緩衝部材取付構造が拡大されて示されている。
【図２２】本発明の参考例に係る排水口カバーに緩衝部材が取り付けられた状態の前面図であって、緩衝部材取付構造が拡大されて示されている。
【図２３】本発明の実施形態に係る排水口カバーが排水構造の排水口部に被せられた状態が示され、（ａ）は平面図、（ｂ）は（ａ）におけるＪ２−Ｊ２概略断面図である。
【図２４】本発明の実施形態に係る排水口カバーの斜視図である。
【図２５】本発明の実施形態に係る排水口カバーの分解斜視図である。
【図２６】本発明の実施形態に係る排水口カバーを構成するタイル部材の外観が示され、（ａ）は斜視図、（ｂ）は左側面図、（ｃ）は平面図である。
【図２７】本発明の実施形態に係る排水口カバーを構成する本体部材の斜視図である。
【図２８】本発明の実施形態に係る排水口カバーを構成する本体部材の左側面図である。
【図２９】本発明の実施形態に係る排水口カバーを構成する本体部材の平面図である。
【図３０】本発明の実施形態に係る排水口カバーを構成する本体部材の底面図である。
【図３１】本発明の実施形態に係る排水口カバーを構成する本体部材の断面が示され、（ａ）は図２９におけるＫ３−Ｋ３断面図、（ｂ）は（ａ）におけるＬ３部分拡大図である。
【図３２】本発明の実施形態に係る排水口カバーの後面図である。
【図３３】本発明の実施形態に係る排水口カバーの前面図であって、緩衝部材取付構造が拡大されて示されている。
【図３４】本発明の実施形態に係る排水口カバーを構成する枠部材の斜視図である。
【図３５】本発明の実施形態に係る排水口カバーを構成する枠部材の左側面図である。
【図３６】本発明の実施形態に係る排水口カバーを構成する枠部材の平面図である。
【図３７】本発明の実施形態に係る排水口カバーを構成する枠部材の底面図である。
【図３８】本発明の実施形態に係る排水口カバーを構成する枠部材の断面が示され、（ａ）は図３６におけるＫ４−Ｋ４断面図、（ｂ）は（ａ）におけるＭ４部分拡大図である。
【図３９】本発明の実施形態に係る排水口カバーを構成する枠部材の後面図が示されている。
【図４０】本発明の実施形態に係る排水口カバーを構成する枠部材の前面図が示されている。
【図４１】本発明の実施形態に係る排水口カバーに緩衝部材が取り付けられた状態の左側面図である。
【図４２】本発明の実施形態に係る排水口カバーに緩衝部材が取り付けられた状態の平面図である。
【図４３】本発明の実施形態に係る排水口カバーに緩衝部材が取り付けられた状態の底面図である。
【図４４】本発明の実施形態に係る排水口カバーに緩衝部材が取り付けられた状態の断面が示され、（ａ）は図４２におけるＫ５−Ｋ５断面図、（ｂ）は（ａ）におけるＬ５部分拡大図、（ｃ）は（ａ）におけるＭ５部分拡大図である。
【図４５】本発明の実施形態に係る排水口カバーに緩衝部材が取り付けられた状態の後面図が示されている。
【図４６】本発明の実施形態に係る排水口カバーに緩衝部材が取り付けられた状態の前面図であって、緩衝部材取付構造が拡大されて示されている。
【発明を実施するための形態】
【００２３】
以下に、本発明の実施形態に係る排水口カバーを図面に基づいて説明する。図１は、本発明の実施形態に係る排水口カバー５０が取り付けられる排水構造１であって、この排水構造１が備えられた洗い場構造体の外観が示され、図２および図３は、排水構造１の外観および断面が示されている。また、図４および図５は、他の排水構造１０１の外観および断面が示されている。
【００２４】
排水構造１は、浴室に備えられる洗い場構造体によって実現されるものである。図１に示されているとおり、洗い場構造体は、洗い場３にタイル２が敷き詰められ、排水口部１０に排水口カバー３０，５０が被せられる。図２に示されているとおり、排水構造１は、プレス加工で板状の部材に形成された凹凸によって、洗い場３、排水溝２０および排水口部１０が形成されている。洗い場３および排水溝２０は、それぞれ排水口部１０に向けて下って傾斜している。洗い場３は、勾配が１／５０（２％）よりも緩やかであり、好ましくは、勾配が１／７５（約１．３％）である。なお、勾配は、洗い場３にタイル２が敷きつめられた状態（図１参照）であっても同様である。
【００２５】
以下の説明では、図２に示されているとおり、洗い場３における上流を「洗い場上流側」とし、下流を「洗い場下流側」とする。また、排水溝２０における上流を「溝上流側」とし、下流を「溝下流側」とする。また、排水溝２０における流水方向に対して洗い場３と同一平面上で直交する方向を「溝幅方向」とし、排水溝２０における流水方向に対して洗い場３の厚み方向と平行な方向を「深さ方向」とする。
【００２６】
図２に示されているとおり、洗い場３は、洗い場下流側に排水溝２０が連接され、この排水溝２０の溝下流側に排水口部１０が連接されている。詳説すれば、洗い場３は、長方形であり、長手方向を流水方向とし、長手方向における洗い場下流側の端に排水溝２０および排水口部１０が連接されている。排水溝２０は、長手であり、洗い場３の短辺端に沿って形成されている。排水溝２０と洗い場３との境界は、境界隆起部４が形成されている。排水口部１０は、洗い場３の短辺端において中央に配置されている。すなわち、排水溝２０は一対で構成され、それぞれ溝下流側が排水口部１０に連接されている。この構成により、排水溝２０における流下方向は、洗い場３における流下方向と交差し、両流下方向は、ほぼ直交している。
【００２７】
図２および図３に示されているとおり、排水溝２０は、長手方向において、勾配および形状が異なる複数の傾斜面を有しており、様々な形状の傾斜面が連接された構成である。したがって、それぞれの傾斜面の境界を明確に区別することは困難であるが、以下では、排水溝２０を理解しやすくするために、溝上流側と溝下流側とに区分して説明する。ここで、排水溝２０の傾斜面は、底が溝底部２１であり、溝底部２１のうち、深さ方向において最も深い部分が最底部２２である。また、傾斜面は、溝幅方向において洗い場３側である境界隆起部４と連接されている側が溝第一側部２３であり、この溝第一側部２３の反対側が溝第二側部２４である。
【００２８】
排水溝２０は、溝上流側範囲２６と溝下流側範囲２７とに区分され、溝上流側範囲２６では、溝底部２１が平坦であり（図３（ｄ）参照）、溝下流側範囲２７では、溝底部２１が湾曲し（図３（ｅ）参照）、下流側に向かうにしたがって湾曲の度合いが徐々に増している。排水溝２０の勾配は、溝上流側範囲２６と溝下流側範囲２７とで異なり、溝下流側範囲２７の勾配が溝上流側範囲２６の勾配よりも急である（図３（ｃ）参照）。また、最底部２２は、溝上流側範囲２６では溝第二側部２４寄りに形成され、溝下流側範囲２７では溝幅方向の中央寄りに形成されている。この構成によって、最底部２２は、溝上流側範囲２６から溝下流側範囲２７に渡って、長手方向に向けて斜めに伸びている。
【００２９】
詳説すれば、図２（ｇ）および図３（ｄ）に示されているとおり、溝上流側範囲２６では、溝底部２１は、溝上流側で溝第一側部２３から溝第二側部２４に向かうにしたがって、排水溝２０の深さ方向に下って傾斜した平坦な傾斜面である。すなわち、溝第一側部２３は、境界隆起部４に連接されて水平であり、また、最底部２２は溝第二側部２４とほぼ同じ高さで溝第二側部２４寄りに形成されている。排水溝２０の傾斜面は、溝上流側範囲２６から溝下流側範囲２７に向かうにしたがって、溝底部２１が徐々に湾曲すると共に溝第一側部２３および溝第二側部２４が徐々に切り立ち、最底部２２が徐々に深さ方向に下がると共に溝第二側部２４寄りから溝幅方向の中央寄りにずれる。
【００３０】
図２（ｇ）および図３（ｅ）に示されているとおり、溝上流側範囲２６の下流側に連接された溝下流側範囲２７では、溝底部２１は、溝上流側範囲２６よりも排水溝２０の長手方向において勾配が急であると共に、下流側に向かうにしたがって排水溝２０の深さ方向に向けて湾曲した湾曲面である。すなわち、溝第一側部２３および溝第二側部２４は溝底部２１と共に湾曲し、最底部２２は溝第一側部２３および溝第二側部２４よりも低い位置で溝幅方向の中央に形成されている。図３（ｃ）に示されているとおり、溝下流側範囲２７では、溝底部２１の下流側に段部２５が形成されている。段部２５は、排水口部１０の手前で切り立っている。
【００３１】
図２（ｇ）および図３（ａ）に示されているとおり、排水口部１０は、洗い場３よりも厚み方向に凹んだ窪みであり、次の各部から構成されている。すなわち、洗い場３との境界において、洗い場３の平面上よりも僅かに低い位置に形成された排水口第一縁部１１と、この排水口第一縁部１１から深さ方向に連接された漏斗状の漏斗部１３と、この漏斗部１３に連接されて排水溝２０と連接された連接面部１４と、この連接面部１４の上部に連接されて排水口第一縁部１１と対向した排水口第二縁部１２と、漏斗部１３と連接面部１４とで囲まれて排水口部１０の中央に形成された円形の孔である排水孔１５とから、排水口部１０が構成されている。
【００３２】
上記のとおり、排水構造１が構成されている。なお、排水溝２０の長さは任意である。したがって、図４および図５に示されているとおり、他の排水構造１０１によれば、排水溝１２０は、洗い場１０３の長辺端に沿って形成されている。排水溝１２０の溝上流側範囲１２６は、排水構造１の溝上流側範囲２６よりも長く形成されている。一方、溝下流側範囲１２７は、排水構造１の溝下流側範囲２７とほぼ同じ長さである。排水構造１０１における他の構成は排水構造１と同様であるため、図示をもって説明を省略する。
【００３３】
また、洗い場３，１０３の形状は任意であり、正方形であってもよい。排水口部１０の位置は任意であり、洗い場３，１０３の隅に配置されていてもよい。この場合、排水溝２０は一対ではなく、単一である。
【００３４】
次に、本発明の実施形態に係る排水口カバーを、参考例と共に図面に基づいて説明する。図６から図２２は、参考例に係る排水口第一カバー３０が示され、図２３から図４６は、本発明の実施形態に係る排水口第二カバー５０が示されている。なお、以下の説明では、図６に示されているとおり、厚み方向において排水口部１０および排水溝２０と対面する側を下側、反対側を上側とし、洗い場側を手前側、反対側を奥側とし、排水口第一カバー３０を基準として排水溝２０側を左右側とする。
【００３５】
図６および図７に示されているとおり、排水口第一カバー３０は、ほぼ四角形であり、平坦な板状の平板部３３の四辺に各縁脚部３４，３５，３６，３７が形成されている。排水口第一カバー３０は、排水口部１０に被せられ、カバー上流側範囲部３１とカバー下流側範囲部３２とに区分される。詳説すれば、カバー上流側範囲３１は、排水口第一カバー３０において手前側約３分の２から４分の３を占め、洗い場３と同一面上において排水口部１０と対面している。一方で、カバー下流側範囲部３２は、排水口第一カバー３０において奥側約３分の１から４分の１を占め、排水溝２０の延長線上において排水口部１０と対面している。なお、カバー上流側範囲部３１およびカバー下流側範囲部３２の広狭は、排水溝２０に応じて任意である。排水口第一カバー３０は、例えば、ステンレスや耐腐食性の素材で構成されている。
【００３６】
図７から図１１に示されているとおり、排水口第一カバー３０は、カバー下流側範囲部３２とカバー上流側範囲部３１とが段違いに配置され、カバー下流側範囲部３２が、カバー上流側範囲部３１よりも高く隆起してカバー上流側範囲部３１に連接されている。また、カバー下流側範囲部３２およびカバー上流側範囲部３１は、上面側においてなだらかに連接され、平板部３３が歪んでいる。
【００３７】
各縁脚部３４，３５，３６，３７は、平板部３３の周縁の四辺がそれぞれ下方に向けて折れ曲がって形成されたものであり、排水口部１０に向けて伸びている。四辺の各縁脚部３４，３５，３６，３７は、それぞれ、手前側が手前縁脚部３４、奥側が奥縁脚部３５、右側が右縁脚部３６、左側が左縁脚部３７である。手前縁脚部３４、右縁脚部３６および左縁脚部３７は、平板部３３に対してほぼ直角に連接され、奥縁脚部３５は、平板部３３に対して僅かに鈍角に連接されている。カバー下流側範囲部３２が隆起しているため、奥縁脚部３５は、手前縁脚部３４、右縁脚部３６および左縁脚部３７よりも下側に向けて長く形成されている。右縁脚部３６および左縁脚部３７は、排水溝２０の下流側と対面する口部３８が形成されている。詳説すれば、口部３８は、右縁脚部３６および左縁脚部３７の下縁部が、カバー下流側範囲部３２において平板部３３と共に隆起したことで、鈍角なアール形状に形成されている。
【００３８】
手前縁脚部３４および奥縁脚部３５は、それぞれ左右側寄りに被取付部３９が形成され、この被取付部３９に、緩衝部材が取り付けられる。すなわち、排水口第一カバー３０は、緩衝部材を取り付けるための緩衝部材取付構造９０が備えられている。この緩衝部材取付構造９０は、手前縁脚部３４および奥縁脚部３５の各被取付部３９と緩衝部材とで実現される。
【００３９】
ここで、緩衝部材を排水口第一カバー３０に取り付けるための緩衝部材取付構造９０を図面に基づいて説明する。図１２は、手前縁脚部３４および拡大された被取付部３９が示され、図１３は、奥縁脚部３５および拡大された被取付部３９が示されている。図１４および図１５は、緩衝部材が示されている。図１４に示されているのは、手前縁脚部３４に取り付けられる第一緩衝部材７０であり、図１５に示されているのは、奥縁脚部３５に取り付けられる第二緩衝部材８０である。図１６から図２２は、各緩衝部材７０，８０が取り付けられた排水口第一カバー３０が示されている。
【００４０】
詳説すれば、図１２および図１３に示されているとおり、被取付部３９は、手前縁脚部３４および奥縁脚部３５においてそれぞれの左右側寄りに形成されている。被取付部３９は、取付孔４１が形成された平板状の被取付片４０と、手前縁脚部３４または奥縁脚部３５において被取付片４０と同一平面上の両側に間を空けて隣接した一対の溝形成片４２と、被取付片４０と溝形成片４２との間に形成されて被取付片４０の両側に隣接した被取付溝４３とが形成されている。詳説すれば、被取付片４０は、ほぼ四角形であり、長孔である取付孔４１が中央に形成されている。溝形成片４２は、下部に向かうにしたがって、被取付片４０に向けて徐々に近づく方向に傾斜している。この構成によって、被取付溝４３の幅は、下部に向かうにしたがって、徐々に狭く形成されている。
【００４１】
図１４に示されているとおり、第一緩衝部材７０は、互いに対面した一対の挟持面部７１，７２と、この挟持面部７１，７２の左右両端部同士に連接されると共に互いに対面した一対の端面部７３と、挟持面部７１，７２および端面部７３のそれぞれの下端部に連接された底面部７４とから構成され、挟持面部７１，７２、端面部７３および底面部７４に囲まれたことで挟持溝７５が形成されている。挟持面部７１，７２は、片方が、もう片方よりも上方に向けて長く形成されている。挟持面部７１，７２は、長い方が内側挟持面部７１であり、短い方が外側挟持面部７２である。外側挟持面部７２は、挟持溝７５において内側に突起部７６が形成されている。突起部７６は、被取付部３９の取付孔４１に対応した形状であり、内側挟持面部７１に向けて突出している。第一緩衝部材７０が手前縁脚部３４の被取付部３９に取り付けられる構造であるため、挟持面部７１，７２および挟持溝７５は、平板部３３に対する手前縁脚部３４の角度に対応して、底面部７４に対してほぼ直角に形成されている。内側挟持面部７１の高さは、手前縁脚部３４とほぼ同一である。挟持溝７５の形状は、手前縁脚部３４の被取付片４０が挟まる大きさであり、端面部７３は、手前縁脚部３４の被取付溝４３が挟まる大きさである。ただし、第一緩衝部材７０は、例えば、ゴムやシリコンなどの素材で構成されているため、第一緩衝部材７０が弾性変形して被取付部３９に密着する寸法に各部が形成されている。
【００４２】
図１５に示されているとおり、第二緩衝部材８０は、第一緩衝部材７０と同様の構成である。ここでは、第二緩衝部材８０に関し、第一緩衝部材７０と異なる構成を説明し、同様の構成は適宜説明を省略する。第二緩衝部材８０が奥縁脚部３５の被取付部３９に取り付けられる構造であるため、挟持面部８１，８２および挟持溝８５は、平板部３３に対する奥縁脚部３５の角度に対応して、底面部８４に対して鈍角に形成されている。第二緩衝部材８０は、第一緩衝部材７０よりも、挟持面部８１，８２および端面部８３が上方に向けて高く形成され、内側挟持面部８１の高さが、奥縁脚部３５とほぼ同一である。
【００４３】
図１６から図２２に示されているとおり、緩衝部材取付構造９０において、手前縁脚部３４の被取付部３９に第一緩衝部材７０が取り付けられ、奥縁脚部３５の被取付部３９に第二緩衝部材８０が取り付けられる。詳説すれば、それぞれの被取付部３９の被取付片４０が、各緩衝部材７０，８０の挟持溝７５，８５に挟まれると共に、外側挟持面部７２，８２の突起部７６，８６が被取付片４０の取付孔４１に挿入されて嵌合する（図２０参照）。同時に、それぞれの被取付部３９の被取付溝４３に、各緩衝部材７０，８０の端面部７３，８３が挟まって嵌合する（図２１および図２２参照）。ここで、被取付溝４３の幅は、下部に向かうにしたがって徐々に狭く形成されており、換言すれば、被取付溝４３の幅は、各緩衝部材７０，８０が取り外される方向に向かうにしたがって狭く形成されている（図１２および図１３参照）。そのため、被取付溝４３の幅が狭い部分において、端面部８３に溝形成片４２が食い込み、堅牢な取付状態が実現する。また、第一緩衝部材７０の内側挟持面部７１の高さは、手前縁脚部３４とほぼ同一であり、第二緩衝部材８０の内側挟持面部８１の高さは、奥縁脚部３５とほぼ同一である（図２０参照）。換言すれば、内側挟持面部７１，８１は、各緩衝部材７０，８０が取り付けられる方向に伸びた先端が、排水口第一カバー３０の平板部３３下面側に当たるため、各緩衝部材７０，８０が手前縁脚部３４および奥縁脚部３５に取り付けられる際、各緩衝部材７０，８０が位置決めされる。
【００４４】
図６に示されているとおり、組み立てられた排水口第一カバー３０は、排水口部１０に被せられ、排水口部１０の排水口第一縁部１１との接触部分に第一緩衝部材７０が配置され、排水口部１０の排水口第二縁部１２との接触部分に第二緩衝部材８０が配置される。また、口部３８が排水溝２０の下流側において対面する。
【００４５】
上記のとおり、排水口第一カバー３０および緩衝部材取付構造９０が構成されている。なお、上流側範囲部３１および下流側範囲部３２が同一平面上において平坦に連接され、下流側範囲部３２において、左右端部のみが隆起することで口部３８が形成された構成であってもよい。また、排水口部１０が洗い場３，１０３の隅に配置されている場合、排水口第一カバー３０における口部３８は、右縁脚部３６または左縁脚部３７のいずれかにのみ形成されていればよい。排水口第一カバー３０が適用される排水構造は、排水構造１，１０１に限られず任意である。
【００４６】
次に、本発明の実施形態に係る排水口第二カバー５０を図面に基づいて説明する。
【００４７】
図２３に示されているとおり、排水口第二カバー５０は、排水口部１０に被せられ、カバー上流側範囲部５１とカバー下流側範囲部５２とに区分される。詳説すれば、カバー上流側範囲部５１は、排水口第二カバー５０において手前側約３分の２から４分の３を占め、洗い場３と同一面上において排水口部１０と対面している。一方で、カバー下流側範囲部５２は、排水口第二カバー５０において奥側約３分の１から４分の１を占め、排水溝２０の延長線上において排水口部１０と対面している。なお、カバー上流側範囲部５１およびカバー下流側範囲部５２の広狭は、排水溝２０に応じて任意である。
【００４８】
図２３から図２５に示されているとおり、排水口第二カバー５０は、下面側が排水口部１０と対面する本体部材５３と、この本体部材５３の周縁に嵌合した枠部材６０と、本体部材５３の上面側において枠部材６０に固定されるタイル部材６９とから構成されている。すなわち、本体部材５３によってカバー下流側範囲部５２が構成され、タイル部材６９によってカバー上流側範囲部５１が構成されている。本体部材５３は、排水溝２０と同一の金属であり、ステンレスや耐腐食性の素材で構成されている。なお、ステンレスは、金属組織などに応じて複数の種類が存在するが、本発明では、ステンレスの同種・異種にかかわらず、ステンレスとして同一の金属であるものとする。したがって、本体部材５３および排水溝２０のは同種のステンレスであっても異種のステンレスであってもよい。枠部材６０は樹脂製である。タイル部材６９は、図２３および図２６に示されているとおり四角形の板状であり、洗い場３と同一のタイル２で構成されている。タイル部材６９は、表面の微細な凹凸に汚れが付着するのを防ぐために、例えば釉薬などで表面がコーティングされている。タイル部材６９の厚みは、タイル２よりも薄く形成され、例えば約５ｍｍである。この構成によって、タイル部材６９は、軽量化され、かつ、タイル２と同一平面上に揃えられる。
【００４９】
図２７から図３３に示されているとおり、本体部材５３は、四角形の平板状に形成されたカバー下流側範囲部５２としての上段部５４と、四角形の平板状に形成されてタイル部材６９の下面側に配置される下段部５５とが段違いに配置され、上段部５４が、下段部５５よりも高く隆起して下段部５５に連接されている。詳説すれば、上段部５４と下段部５５との間に、厚み方向に沿った平板状の平段部５６が配置され、この平段部５６が上段部５４および下段部５５とほぼ直角に連接されている。すなわち、上段部５４と下段部５５との段差によって、排水溝２０の下流側と対面する口部５７が上段部５４に形成されている。口部５７は、角張った形状である。
【００５０】
下段部５５は、平段部５６を除いた三辺に複数の突起片５８が形成されている。突起片５８は、下段部５５の周縁の三辺がそれぞれ部分的に突出して形成されたものであり、下段部５５と同一平面上に伸びている。
【００５１】
上段部５４は、奥側の辺に奥縁脚部５９が形成されている。奥縁脚部５９は、上段部５４の奥縁が下方に向けて折れ曲がって形成されたものであり、排水口部１０側に向けて伸びている。奥縁脚部５９は、被取付部３９が形成され、この被取付部３９に緩衝部材が取り付けられる。なお、図３３に示されているとおり、被取付部３９は排水口第一カバー３０と同じ構成であり（図１２参照）、緩衝部材も排水口第一カバー３０の第一緩衝部材７０と同じ構成であるため（図１４参照）、緩衝部材取付構造９０は、排水口第一カバー３０と同様である。したがって、図示をもってこれらの説明を省略する。
【００５２】
図３４から図４０に示されているとおり、枠部材６０は、手前枠部６１と、この手前枠部６１の左右両端に、手前枠部６１と直角に連接された右枠部６２および左枠部６３とから形成されている。各枠部６１，６２，６３は、断面がほぼ“Ｌ”字状であり、厚み方向に向けて沿った枠縁部６４と、この枠縁部６４の下端から枠部材６０の内側に伸びた枠底部６５とが直角に連接されている。各枠部６１，６２，６３は、複数の被嵌合部６６が形成されている。詳説すれば、被嵌合部６６は、枠底部６５と枠縁部６４との境界に配置され、それぞれ内側に向けて突出すると共に、厚み方向において枠縁部６４の上端よりも低い位置に、かつ、枠底部６５の内側端よりも内側に形成されている。また、被嵌合部６６は、枠縁部６４に向けて被嵌合穴６７が形成されている。枠底部６５は、下面側に緩衝部６８が形成されている。緩衝部６８は、枠部材６０の成形において一体として形成され、排水口部１０の排水口第一縁部１１との接触部分に配置されるため、数や形状は任意である。なお、緩衝部６８に替えて、枠底部６５の下面側に緩衝部材が取り付けられる構成であってもよい。
【００５３】
図２４および図２５に示されているとおり、排水口第二カバー５０は、本体部材５３に枠部材６０が取り付けられ、この状態で、タイル部材６９が本体部材５３に載せられると共に枠部材６０に仮固定され、接着剤６などでタイル部材６９が枠部材６０に固定される。詳説すれば、まず、本体部材５３の下段部５５が枠部材６０の内側に配置され、下段部５５の突起片５８が枠部材６０の被嵌合部６６に嵌合する（図４４（ｃ）参照）。この状態で、タイル部材６９が下段部５５の上に載置され、枠部材６０の内側において、対向する被嵌合部６６同士の間に配置されることで位置決めされる（図４２参照）。また、奥縁脚部５９に第一緩衝部材７０が取り付けられる（図４４（ａ）（ｂ）参照）。上記のとおりに組み立てられた排水口第二カバー５０は、図４１から図４６に示されているとおりとなる。最後に、図２４に示されているとおり、タイル部材６９と枠部材６０との隙間に接着剤６が充填され、タイル部材６９が枠部材６０に固定されることで、下段部５５が枠部材６０とタイル部材６９とで挟まれて固定される。
【００５４】
図２３に示されているとおり、組み立てられた排水口第二カバー５０は、排水口部１０に被せられ、この排水口部１０の排水口第二縁部１２との接触部分に第一緩衝部材７０が配置され、排水口部１０の排水口第一縁部１１との接触部分に緩衝部６８が配置される。また、洗い場３のタイル２との接触部分に枠部材６０が配置される。また、口部５７が排水溝２０の下流側において対面する。
【００５５】
なお、排水口部１０が洗い場３，１０３の隅に配置されている場合、排水口第二カバー５０における口部５７は、右側または左側のいずれかにのみ形成されていればよい。排水口第二カバー５０が適用される排水構造は、排水構造１，１０１に限られず任意である。
【００５６】
上記のとおり、排水口第二カバー５０および緩衝部材取付構造９０が構成されている。
【００５７】
次に、排水構造１の効果を説明する。なお、排水構造１０１の効果は、排水構造１と同一であるため、説明を省略する。
【００５８】
上記したとおり、排水構造１によれば、排水溝２０は、溝上流側範囲２６と溝下流側範囲２７とに区分され、溝下流側範囲２７の勾配が溝上流側範囲２６の勾配よりも急である（図３（ｃ）参照）。すなわち、排水溝２０の勾配が、溝上流側範囲２６および溝下流側範囲２７によって途中で変化したことで、排水の途中で流速が変化し、その際、泡が水に引き連れられて排水溝２０から洗い流される。したがって、排水に伴って適切に泡を流すことができる。
【００５９】
さらに、溝下流側範囲２７では、溝底部２１の下流側に段部２５が形成され、段部２５が排水口部１０の手前で切り立っている（図２（ｇ）および図３（ｃ）参照）。この構成により、下流側において、段部２５から排水孔１５に水が落下することで、水と共に一気に泡が排水孔１５に引き連れられて排水される。したがって、排水に伴って適切に泡を流すことができる。
【００６０】
排水構造１によれば、溝上流側範囲２６では、溝底部２１は、溝上流側で溝第一側部２３から溝第二側部２４に向かうにしたがって、排水溝２０の深さ方向に下って傾斜した平坦な傾斜面である（図２（ｇ）および図３（ｄ）参照）。また、溝上流側範囲２６の下流側に連接された溝下流側範囲２７では、溝底部２１は、溝上流側範囲２６よりも排水溝２０の長手方向において勾配が急であると共に、下流側に向かうにしたがって排水溝２０の深さ方向に向けて湾曲した湾曲面である（図２（ｇ）および図３（ｅ）参照）。すなわち、排水溝２０が、三次元的に変化した形状であり、かつ、勾配が一定である一般的な排水溝と比較して、排水溝の深さが溝上流側範囲２６において抑えられているため、排水溝２０の形状が斬新である。したがって、優れた意匠を実現することができる。
【００６１】
排水構造１によれば、洗い場３は、勾配が１／５０（２％）よりも緩やかであり、好ましくは、勾配が１／７５（約１．３％）である。この構成により、洗い場３において流速が遅くなるため、泡が水に引き連れられて水と一緒に流される。したがって、排水に伴って適切に泡を流すことができる。
【００６２】
また、排水構造１は、本発明の実施形態に係る排水口第二カバー５０または参考例に係る排水口第一カバー３０が排水口部１０に被せられることで、以下の効果を生じる。
【００６３】
排水口第一カバー３０は、カバー下流側範囲部３２が、カバー上流側範囲部３１よりも高く隆起してカバー上流側範囲部３１に連接され、右縁脚部３６および左縁脚部３７に、口部３８が形成されている（図７および図８参照）。口部３８は、右縁脚部３６および左縁脚部３７の下縁部が、カバー下流側範囲部３２において平板部３３と共に隆起したことで、鈍角なアール形状に形成されている。一方、排水口第二カバー５０の本体部材５３は、カバー下流側範囲部５２を構成する上段部５４が、下段部５５よりも高く隆起して下段部５５に連接され、上段部５４と下段部５５との段差によって、口部５７が上段部５４に形成されている（図２４および図２５参照）。この構成により、各排水口カバー３０，５０が排水口部１０に被せられた状態において、下流側範囲部３２，５２が隆起した分、各口部３８，５７が広がることで、排水溝２０における排水口部１０への入り口が大きく形成される（図６および図２３参照）。したがって、口部３８，５７を通過する流量が多く、排水に伴って適切に泡を流すことができる。
【００６４】
次に、本発明の参考例に係る排水口第一カバー３０の効果を説明する。
【００６５】
上記したとおり、排水口第一カバー３０によれば、カバー下流側範囲部３２が、カバー上流側範囲部３１よりも高く隆起してカバー上流側範囲部３１に連接され、右縁脚部３６および左縁脚部３７に、排水溝２０の下流側と対面する口部３８が形成されている（図７および図８参照）。口部３８は、右縁脚部３６および左縁脚部３７の下縁部が、カバー下流側範囲部３２において平板部３３と共に隆起したことで、鈍角なアール形状に形成されている。すなわち、下流側範囲部３２が隆起した分、口部３８が広がることで、排水口第一カバーが排水口部１０に被せられた状態において、口部３８が排水溝２０の下流側において対面し、排水口部１０への入り口が大きく形成される（図６参照）。したがって、口部３８を通過する流量が多く、排水に伴って適切に泡を通過させることができる。また、口部３８が鈍角なアール形状であるため、優れた意匠を実現することができる。
【００６６】
排水口第一カバー３０によれば、カバー下流側範囲部３２が、カバー上流側範囲部３１よりも高く隆起してカバー上流側範囲部３１に連接され、かつ、カバー下流側範囲部３２およびカバー上流側範囲部３１が、上面側においてなだらかに連接されて平板部３３が歪んでいる。すなわち、排水口第一カバー３０の形状が斬新である。したがって、優れた意匠を実現することができる（図７から図１０参照）。
【００６７】
排水口第一カバー３０によれば、各縁脚部３４，３５は、それぞれ左右側寄りに被取付部３９が形成され、この被取付部３９に、各緩衝部材７０，８０が取り付けられる。排水口第一カバー３０は、排水口部１０に被せられ、排水口部１０の排水口第一縁部１１との接触部分に第一緩衝部材７０が配置され、排水口部１０の排水口第二縁部１２との接触部分に第二緩衝部材８０が配置される。したがって、排水口第一カバー３０と排水口部１０との接触や擦れによって生じる損傷や異音を防ぐことができる。
【００６８】
排水口第一カバー３０は、例えば、ステンレスや耐腐食性の素材で構成されている。したがって、樹脂などの素材と比較して容易に清掃をすることができ、また、優れた意匠を実現することができる。
【００６９】
次に、本発明の実施形態に係る排水口第二カバー５０の効果を説明する。
【００７０】
上記したとおり、排水口第二カバー５０によれば、本体部材５３は、下流側範囲部５２を構成する上段部５４が、下段部５５よりも高く隆起して下段部５５に連接され、上段部５４と下段部５５との段差によって、排水溝２０の下流側と対面する口部５７が上段部５４に形成されている（図２４および図２５参照）。すなわち、下流側範囲部５２が隆起した分、口部５７が広がることで、排水口第一カバーが排水口部１０に被せられた状態において、口部５７が排水溝２０の下流側において対面し、排水口部１０への入り口が大きく形成される（図２３参照）。したがって、口部５７を通過する流量が多く、排水に伴って適切に泡を通過させることができる。また、口部５７が角張った形状であるため、優れた意匠を実現することができる。
【００７１】
排水口第二カバー５０によれば、カバー上流側範囲部５１が、洗い場３と同一のタイル２で構成されたタイル部材６９で構成され、カバー下流側範囲部５２が、排水溝２０と同一の金属であるステンレスや耐腐食性の素材で構成されている。したがって、樹脂などの素材と比較して、擦りやすく、容易に清掃をすることができる。特に、タイル部材６９は、例えば釉薬などで表面がコーティングされているため、表面の微細な凹凸に汚れが付着するのを防ぐことができる。また、洗い場３および排水溝２０とそれぞれ馴染む素材で構成されているため、優れた意匠を実現することができる。
【００７２】
排水口第二カバー５０によれば、カバー上流側範囲部５１は、排水口第二カバー５０において手前側約３分の２から４分の３を占め、洗い場３と同一面上において排水口部１０と対面している（図２３参照）。すなわち、洗い場３の一部にカバー上流側範囲部５１が形成され、このカバー上流側範囲部５１は洗い場３と同一のタイル２で構成されたタイル部材６９で構成されている。したがって、利用者が、洗い場３においてカバー上流側範囲部５１の上を歩いた場合であっても、滑りにくくすることができる。
【００７３】
排水口第二カバー５０によれば、カバー下流側範囲部５２は、排水口第二カバー５０において奥側約３分の１から４分の１を占め、排水溝２０の延長線上において排水口部１０と対面している（図２３参照）。この構成により、外観において、カバー下流側範囲部５２が排水溝２０と馴染む。したがって、排水口第二カバー５０と排水溝２０とで統一感を現すことができる。
【００７４】
排水口第二カバー５０によれば、下面側が排水口部１０と対面する本体部材５３と、この本体部材５３の周縁に嵌合した枠部材６０と、本体部材５３の上面側において枠部材６０に固定されるタイル部材６９とから構成されている。この構成により、洗い場３に適したタイル素材と排水溝２０に適した金属素材とで、素材が異なる各部材５３，６９同士を合体させて排水口第二カバー５０を構成することができる。
【００７５】
排水口第二カバー５０によれば、まず、本体部材５３の下段部５５が枠部材６０の内側に配置され、下段部５５の突起片５８が枠部材６０の被嵌合部６６に嵌合する（図４２および図４４参照）。この状態で、タイル部材６９が下段部５５の上に載置され、枠部材６０の内側において、対向する被嵌合部６６同士の間に配置されることで位置決めされる（図４４参照）。奥縁脚部５９に第一緩衝部材７０が取り付けられる。最後に、タイル部材６９と枠部材６０との隙間に接着剤６が充填され、タイル部材６９が枠部材６０に固定されることで、下段部５５が枠部材６０とタイル部材６９とで挟まれて固定される（図２４および図２５参照）。したがって、簡便に組み立てることができる。その際、下段部５５が枠部材６０の被嵌合部６６に嵌合されることで、本体部材５３が枠部材６０に仮固定され、また、タイル部材６９が被嵌合部６６で位置決めされる。したがって、組み立てる過程において、各部材５３，６０，６９同士がずれることがなく、簡便に組み立てることができる。
【００７６】
排水口第二カバー５０によれば、奥縁脚部５９は、被取付部３９が形成され、この被取付部３９に第一緩衝部材７０が取り付けられる。排水口第二カバー５０は、排水口部１０に被せられ、この排水口部１０の排水口第二縁部１２との接触部分に第一緩衝部材７０が配置され、排水口部１０の排水口第一縁部１１との接触部分に緩衝部６８が配置される。また、洗い場３のタイル２との接触部分に枠部材６０が配置される。したがって、排水口第二カバー５０と排水口部１０との接触や擦れによって生じる損傷や異音を防ぐことができる。また、排水口第二カバー５０とタイル２との接触や擦れによって生じる損傷や異音を防ぐことができる。
【００７７】
次に、本発明の実施形態に係る排水口第二カバー５０または参考例に係る排水口第一カバー３０に備えられた緩衝部材取付構造９０の効果を説明する。
【００７８】
上記したとおり、緩衝部材取付構造９０は、手前縁脚部３４および奥縁脚部３５の各被取付部３９と、第一緩衝部材７０または第二緩衝部材８０とで実現される。被取付部３９は、取付孔４１が形成された平板状の被取付片４０と、被取付片４０と同一平面上の両側に間を空けて隣接した一対の溝形成片４２と、被取付片４０と溝形成片４２との間に形成されて被取付片４０の両側に隣接した被取付溝４３とが形成されている。被取付片４０は、長孔である取付孔４１が中央に形成されている。被取付溝４３の幅は、下部に向かうにしたがって、徐々に狭く形成されている。一方、第一緩衝部材７０は、互いに対面した一対の挟持面部７１，７２と、この挟持面部７１，７２の左右両端部同士に連接されると共に互いに対面した一対の端面部７３と、挟持面部７１，７２および端面部７３のそれぞれの下端部に連接された底面部７４とから構成され、挟持面部７１，７２、端面部７３および底面部７４に囲まれたことで挟持溝７５が形成されている。外側挟持面部７２は、挟持溝７５において内側に突起部７６が形成され、突起部７６は、被取付片４０の取付孔４１に対応した形状であり、内側挟持面部７１に向けて突出している。
【００７９】
この構成により、それぞれの被取付部３９の被取付片４０が、第一緩衝部材７０の挟持溝７５に挟まれると共に、外側挟持面部７２の突起部７６が被取付片４０の取付孔４１に挿入されて嵌合する（図２０参照）。したがって、堅牢な状態を実現することができ、また、着脱が可能である。
【００８０】
また、緩衝部材取付構造９０によれば、それぞれの被取付部３９の被取付溝４３に、第一緩衝部材７０の端面部７３が挟まって嵌合する（図２１および図２２参照）。ここで、被取付溝４３の幅は、下部に向かうにしたがって徐々に狭く形成されており、換言すれば、被取付溝４３の幅は、第一緩衝部材７０が取り外される方向に向かうにしたがって狭く形成されている（図１２および図１３参照）。そのため、被取付溝４３の幅が狭い部分において、端面部７３に溝形成片４２が食い込む。したがって、堅牢な状態を実現することができ、また、着脱が可能である。なお、緩衝部材取付構造９０における上記した効果は、第二緩衝部材８０であっても第一緩衝部材７０の場合と同様であるため、第二緩衝部材８０についての説明を省略する。
【００８１】
緩衝部材取付構造９０によれば、第一緩衝部材７０の内側挟持面部７１の高さは、手前縁脚部３４とほぼ同一であり、第二緩衝部材８０の内側挟持面部８１の高さは、奥縁脚部３５とほぼ同一である（図２０参照）。この構成により、内側挟持面部７１，８１は、各緩衝部材７０，８０が取り付けられる方向に伸びた先端が、排水口第一カバー３０の平板部３３下面側に当たるため、各緩衝部材７０，８０が手前縁脚部３４および奥縁脚部３５に取り付けられる際、各緩衝部材７０，８０が位置決めされる。したがって、簡便に取り付けることができる。
【００８２】
同様に、第一緩衝部材７０の内側挟持面部７１の高さは、奥縁脚部５９とほぼ同一である（図４４参照）。この構成により、内側挟持面部７１は、第一緩衝部材７０が取り付けられる方向に伸びた先端が、排水口第二カバー５０の上段部５４下面側に当たるため、第一緩衝部材７０が奥縁脚部５９に取り付けられる際、第一緩衝部材７０が位置決めされる。したがって、簡便に取り付けることができる。
【００８３】
緩衝部材取付構造９０によれば、各排水口カバー３０，５０の周縁から厚み方向において排水口部１０に向けて伸びた各縁脚部３４，３５および５９に、被取付部３９が形成され、この被取付部３９に各緩衝部材７０，８０が取り付けられる。排水口第一カバー３０は、排水口部１０に被せられ、この排水口部１０の排水口第一縁部１１との接触部分に第一緩衝部材７０が配置され、排水口部１０の排水口第二縁部１２との接触部分に第二緩衝部材８０が配置される。また、排水口第二カバー５０は、排水口部１０に被せられ、排水口部１０の排水口第一縁部１１との接触部分に緩衝部６８が配置され、排水口部１０の排水口第二縁部１２との接触部分に第一緩衝部材７０が配置される。したがって、各排水口カバー３０，５０と排水口部１０との接触や擦れによって生じる損傷や異音を防ぐことができる。
【００８４】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、屋内外の種々の排水口に用いられる。
【符号の説明】
【００８５】
１，１０１            排水構造
２                    タイル
３，１０３            洗い場
４                    境界隆起部
６                    接着剤
１０                  排水口部
１１                  排水口第一縁部
１２                  排水口第二縁部
１３                  漏斗部
１４                  連接面部
１５                  排水孔
２０，１２０          排水溝
２１，１２１          溝底部
２２，１２２          最底部
２３，１２３          溝第一側部
２４，１２４          溝第二側部
２５，１２５          段部
２６，１２６          溝上流側範囲
２７，１２７          溝下流側範囲
３０                  排水口第一カバー
３１                  カバー上流側範囲部
３２                  カバー下流側範囲部
３３                  平板部
３４                  手前縁脚部
３５                  奥縁脚部
３６                  右縁脚部
３７                  左縁脚部
３８                  口部
３９                  被取付部
４０                  被取付片
４１                  取付孔
４２                  溝形成片
４３                  被取付溝
５０                  排水口第二カバー（排水口カバー）
５１                  カバー上流側範囲部
５２                  カバー下流側範囲部
５３                  本体部材
５４                  上段部
５５                  下段部
５６                  平段部
５７                  口部
５８                  突起片
５９                  奥縁脚部
６０                  枠部材
６１                  手前枠部
６２                  右枠部
６３                  左枠部
６４                  枠縁部
６５                  枠底部
６６                  被嵌合部
６７                  被嵌合穴
６８                  緩衝部（緩衝部材）
６９                  タイル部材
７０                  第一緩衝部材（緩衝部材）
７１                  内側挟持面部
７２                  外側挟持面部
７３                  端面部
７４                  底面部
７５                  挟持溝
７６                  突起部
８０                  第二緩衝部材（緩衝部材）
８１                  内側挟持面部
８２                  外側挟持面部
８３                  端面部
８４                  底面部
８５                  挟持溝
８６                  突起部
９０                  緩衝部材取付構造
【図１】
2019031797.tif 000003
【図２】
2019031797.tif 000004
【図３】
2019031797.tif 000005
【図４】
2019031797.tif 000006
【図５】
2019031797.tif 000007
【図６】
2019031797.tif 000008
【図７】
2019031797.tif 000009
【図８】
2019031797.tif 000010
【図９】
2019031797.tif 000011
【図１０】
2019031797.tif 000012
【図１１】
2019031797.tif 000013
【図１２】
2019031797.tif 000014
【図１３】
2019031797.tif 000015
【図１４】
2019031797.tif 000016
【図１５】
2019031797.tif 000017
【図１６】
2019031797.tif 000018
【図１７】
2019031797.tif 000019
【図１８】
2019031797.tif 000020
【図１９】
2019031797.tif 000021
【図２０】
2019031797.tif 000022
【図２１】
2019031797.tif 000023
【図２２】
2019031797.tif 000024
【図２３】
2019031797.tif 000025
【図２４】
2019031797.tif 000026
【図２５】
2019031797.tif 000027
【図２６】
2019031797.tif 000028
【図２７】
2019031797.tif 000029
【図２８】
2019031797.tif 000030
【図２９】
2019031797.tif 000031
【図３０】
2019031797.tif 000032
【図３１】
2019031797.tif 000033
【図３２】
2019031797.tif 000034
【図３３】
2019031797.tif 000035
【図３４】
2019031797.tif 000036
【図３５】
2019031797.tif 000037
【図３６】
2019031797.tif 000038
【図３７】
2019031797.tif 000039
【図３８】
2019031797.tif 000040
【図３９】
2019031797.tif 000041
【図４０】
2019031797.tif 000042
【図４１】
2019031797.tif 000043
【図４２】
2019031797.tif 000044
【図４３】
2019031797.tif 000045
【図４４】
2019031797.tif 000046
【図４５】
2019031797.tif 000047
【図４６】
2019031797.tif 000048